(57)【要約】  本発明は、個別化された歯科印象トレイの作製方法およびそのような印象トレイの一つに関し、個別化された印象トレイのデジタル印象トレイモデルは、デジタル顎モデルに基づいて形成され、印象トレイは顎モデルのメス型に少なくとも部分的に対応する少なくとも一つの内面を備えたキャリアを有し、内面上の少なくとも一つの表面小領域を手動でマークされるかまたは自動的に検出され、保持構造は表面小領域の上方および／または下方に配置され、印象トレイモデルは保持構造とともに作製テンプレートとして格納され、印象トレイは、作製テンプレートに従って機械加工によって作製される。保持構造は、表面小領域に実質的に平行に、または表面小領域と実質的に並んで延在する第一の表面を有し、そこを貫通する少なくとも一つの凹部を有し、くぼみが第一の表面の各凹部に隣接し、くぼみが凹部からキャリアの方向におよび／またはキャリア中に延在し、各くぼみは少なくとも一つのアンダーカットを有する。【選択図】図４Ｂ
2019517302.tif 000002
【特許請求の範囲】
【請求項１】
個別化された歯科印象トレイ（１０）を作製する方法であって、個別化された印象トレイ（１０）のデジタル第一印象トレイモデル（１３）はデジタル顎モデル（１２）またはデジタル顎領域モデルに基づいて形成され、前記第一の印象トレイモデル（１３）は少なくとも一つの内面（１３）を備えたキャリア（１）を有し、前記内面は前記顎モデル（１２）または顎領域モデルの正確なまたはおおよそのメス型に少なくとも部分的に対応し、前記内面上の少なくとも一つの表面小領域（１４）は手動でマークされまたは自動で検出され、保持構造（４）は前記少なくとも一つの表面小領域（１４）の上方および／または下方に配置され、前記第一の印象トレイモデル（１３）は作製テンプレートとして保持構造（４）とともに格納され、前記印象トレイ（１０）は前記作製テンプレートに従って機械加工により作製されることを特徴とし、ここにおいて前記保持構造（４）は前記表面小領域（１４）に実質的に平行または前記表面小領域（１４）と実質的に並んで延在する第一の表面（５）を有し、かつその中を貫通する少なくとも一つの凹部（６）を有し、前記それぞれの凹部（６）の前記それぞれのくぼみは前記キャリア（１）の方向におよび／または前記キャリア（１）内に延在し、少なくとも一つのくぼみが前記くぼみ方向の方向または前記個別化された印象トレイの前記挿入方向からの少なくとも一つのアンダーカット（８）を有する、方法。
【請求項２】
前記保持構造（４）が複数の凹部（６）を有し、前記凹部（６）の密度、形状およびサイズならびに前記アンダーカット（８）の形状およびサイズを自動および／または手動で特定することができることを特徴とする、請求項１に記載の方法。
【請求項３】
マークを付けた後、前記少なくとも一つの表面小領域（１４）は、前記表面小領域（１４）および前記保持構造（４）に属さない前記内面（３）の一部に対して前記キャリア（１）内にある深さだけ凹み、それが続いて少なくとも一つの表面小領域（１４）上に配置され、前記表面小領域（１４）に対してある高さを有することを特徴とし、ここにおいて前記保持構造（４）の前記高さが前記凹部の深さに正確に一致する、請求項１または２に記載の方法。
【請求項４】
複数の表面小領域（１４）が手動および／または自動的にマークされ、かつ同一および／または異なる保持構造（４）がそれぞれ、前記異なる表面小領域（１４）の上方および／または下方に配置されることを特徴とする、請求項１乃至３のいずれか一項に記載の方法。
【請求項５】
前記異なる保持構造（４）が、前記凹部（６）の密度および／または前記凹部（６）の前記形状および／または前記凹部（６）の前記サイズについて、および／または前記アンダーカット（８）の前記形状について、および／または前記アンダーカット（８）の前記サイズについて異なることを特徴とする、請求項４に記載の方法。
【請求項６】
前記複数の表面小領域（１４）の少なくとも一つの保持構造が、前記印象トレイが使用されているとき、および／または前記表面小領域（１４）の所望の保持力に基づいておよび／または印象を形成するのに使用される印象化合物の粘度に基づいて、前記表面小領域（１４）に作用する最大力に基づいて選択されることを特徴とする、請求項４または５に記載の方法。
【請求項７】
前記保持構造（４）は、複数の隣接して配置された保持要素（７）からなり、前記保持要素（７）の三次元形状および／または前記保持要素（７）の密度が、自動および／または手動で特定されることを特徴とする、請求項１乃至６のいずれか一項に記載の方法。
【請求項８】
前記印象トレイ（１０）が、付加製造方法によって前記作製テンプレートに従って作製されることを特徴とする、請求項１乃至７のいずれか一項に記載の方法。
【請求項９】
内面（３）を備えたキャリア（１）を有する個別化された歯科印象トレイ（１０）であって、前記内面（３）は、個々の歯のセットおよび前記隣接歯肉の一部のメス型に少なくとも部分的に対応し、前記内面（３）の少なくとも一つの表面小領域（１４）は保持構造（４）で覆われ、前記保持構造（４）は前記表面小領域（１４）に実質的に平行に、または前記表面小領域（１４）と実質的に並んで延在し、その中を貫通する少なくとも一つの凹部（６）を有する第一の表面（５）を有することを特徴とし、ここにおいてくぼみが前記第一の表面（５）の各凹部（６）に隣接し、前記くぼみは前記凹部（６）から前記キャリア（１）の方向へおよび／またはキャリア（１）内へ延在し、各くぼみは少なくとも一つのアンダーカット（８）を有する、個別化された歯科印象トレイ。
【請求項１０】
前記表面小領域（１４）の５０％が前記第一の表面（５）によって覆われ、前記表面小領域の５０％が前記凹部（６）によって覆われることを特徴とする、請求項９に記載の印象トレイ（１０）。
【請求項１１】
前記アンダーカット（８）が前記第一の表面（５）の少なくとも３０％下に延在することを特徴とする、請求項９または１０に記載の印象トレイ（１０）。
【請求項１２】
前記保持構造（４）が、複数の隣接して配置された保持要素（７）からなることを特徴とする、請求項９乃至１１のいずれか一項に記載の印象トレイ（１０）。
【請求項１３】
前記保持要素（７）が、Ｔ字形またはＸ字形またはＶ字形に設計されることを特徴とする、請求項１２に記載の印象トレイ（１０）。
【請求項１４】
前記表面小領域（１４）が前記キャリア（１）の前記内面（３）の少なくとも５０％を占有することを特徴とする、先行する請求項のいずれか一項に記載の印象トレイ（１０）。
【請求項１５】
前記保持構造（４）の前記第一の表面（５）と、前記キャリア（１）の前記内面（３）の前記表面小領域（１４）および／または前記少なくとも一つのくぼみの基部との間の距離が、０．１ｍｍ〜０．５ｍｍであることを特徴とする、先行する請求項のいずれか一項に記載の印象トレイ（１０）。
【請求項１６】
前記表面小領域（１４）が、前記キャリア（１）の前記内面（３）のくぼみの基部として構成されることを特徴とし、前記くぼみの深さが、前記保持構造（４）の前記第一の表面（５）に垂直な保持構造（４）の範囲に対応する、先行する請求項のいずれか一項に記載の印象トレイ（１０）。
【請求項１７】
前記保持構造（４）および前記キャリア（１）が一体物として形成されることを特徴とする、先行する請求項のいずれか一項に記載の印象トレイ（１０）。
【発明の詳細な説明】
【技術分野】
【０００１】
本発明は、外面および内面を備えたキャリアを有する個別化された歯科印象トレイに関し、当該内面は、個々の歯のセットの一部のメス型に少なくとも部分的に対応し、少なくとも内面の第一部は保持構造で覆われている。
【背景技術】
【０００２】
歯のセットまたは歯の領域のセットの印象を形成するために、下顎弓の形状に従い、歯に面する個別化された表面を有する湾曲したキャリアを備えた個別化された印象トレイを使用することが周知である。キャリアは、軟質の硬化可能な印象化合物を収容する。印象化合物が硬化後にキャリアに留まり、前記キャリアと共に歯から除去され得ることを確実にするために、保持力が必要とされる。これは、キャリアの内面に塗布され、キャリア上に印象化合物を保持する接着剤を用いて達成することができる。別の選択肢は、キャリアの表面に穴を配置することである。印象が取られている間に、印象化合物の一部が穴を通して押し出され、その結果印象化合物が硬化後にキャリアにしっかりと取り付けられることになる。
【０００３】
アンカー要素が内面に配置された印象トレイは、ＵＳ  ６，８７５，０１６  Ｂ２（米国特許第６，８７５，０１６号）から公知である。アンカー要素は円弧状であり、表面上に分布しているため、まだ硬化していない状態の印象化合物はアンカー要素の周りを流れ、特に各円弧の下の空間を埋める。印象材料が硬化すると、印象化合物と印象トレイとの間の保持力は円弧状要素の結果として増大する。したがって、追加の接着剤は必要ではない。
【０００４】
本発明の目的は、従来技術をさらに発展させ、使い易い印象トレイを提供することであり、印象化合物のトレイへの良好な接着を確実にすることである。
【発明の概要】
【０００５】
本発明は、個別化された歯科印象トレイを製造する方法に関する。個別化された印象トレイのデジタル第一印象トレイモデルは、デジタル顎モデルまたはデジタル顎領域モデルを使用して形成される。第一の印象トレイモデルは、少なくとも部分的に顎モデルまたは顎領域モデルのメス型に対応する、少なくとも一つの内面を有するキャリアを含む。
【０００６】
内面上の少なくとも一つの表面小領域は、手動および／または自動的にマークされ、保持構造が前記少なくとも一つの表面小領域の上方および／または下方に配置される。第一の印象トレイモデルは、作製テンプレートとして保持構造と格納され、印象トレイは、作製テンプレートに従って機械加工によって作製される。
【０００７】
保持構造は、表面小領域に実質的に平行に、または表面小領域と実質的に並んで延在する第一の表面を有し、そこを貫通する少なくとも一つの凹部を有し、くぼみが各凹部に隣接し、キャリアの方向におよび／またはキャリア中に延在し、少なくとも一つのアンダーカットを有する。
【０００８】
個別化された印象トレイは、キャリアの内面が個々の歯のセットの形態に少なくとも部分的に適合していることを特徴とする。したがって、印象トレイのキャリアは、キャリアの少なくとも一つの内面が顎モデルまたは顎領域モデルの外側輪郭に出来るだけ近似するような方法で、デジタル顎モデルまたは顎領域モデルに基づいて作製される。キャリアは、例えば下顎または上顎に対応する内面、または二つの対向する内面を備えることができ、一方は下顎に対応し、他方は上顎に対応する。上顎および下顎の二つの対向する内面を備える印象トレイは、しばしば三重トレイまたは二重アーチ印象トレイとも称され、下顎および上顎の印象を同時に取ることができる。
【０００９】
キャリアの内面と顎モデルまたは顎領域モデルの外側輪郭との間は、０．５ｍｍ〜３ｍｍの距離が典型的または望ましい。一部の用途または一部の領域では、わずか０．１ｍｍの距離が望ましい場合もあり得る。
【００１０】
個別化された印象トレイを作製するための顎モデルまたは顎領域モデルは、いくつもの方法で形成することができる。これは、一般的な印象トレイ、例えば一般的な、個別化されていない形状を有する印象トレイを使用して作られた印象に基づいて形成される。一般的な印象トレイを使用した印象には多量の印象化合物を要し、歯、隣接歯肉およびキャリアの間の印象化合物の分布または厚さが不均一になり得るため、一般的な印象トレイを使用して得られるモデルは、一部の用途では十分に正確とは言えない。例えば、大きなブリッジまたは取り外し可能な部分義歯のようなより大きな領域を覆う剛性構造の作製の場合は特に、そのようなモデルは十分に正確ではない。
【００１１】
他方では、個別化された印象トレイは、可能な限り均一かつ小さな厚さで少なくとも個別化された領域全体にわたって印象化合物が分布されることを確実にし、そのため可能な限り高くかつ均一な圧力が印象化合物上に印加される。得られた歯および隣接歯肉の印象またはモデルの高精度がこうして達成される。
【００１２】
少なくとも一つの表面小領域は、好適な入力手段を持つユーザによって、または保持構造を配置するためのキャリアの内面における予め定められた条件に基づいて自動的に定義され、これは前述の表面小領域上における、硬化後の印象トレイのキャリアへの印象化合物の付着を確実にすることを目的とする。また、キャリアの内面全体が表面小領域としてマークされ、保持構造を備えていることも可能である。
【００１３】
保持力は、保持構造のアンダーカット内への印象化合物の浸透によって達成される。この場合、アンダーカットとは、アンダーカット方式で第一の表面の後方または下方に位置するくぼみの部分体積をいう。したがって、アンダーカットは、第一の表面の後方の突出部に位置し、第一の表面に実質的に垂直に延在するか、または第一の表面によって覆われる。アンダーカットは、凹部の片側のみに位置することができ、すなわち、凹部の縁に隣接するくぼみの側壁の小領域のみを占有することができる。アンダーカットはまた、例えば円錐形のくぼみの場合には、凹部の縁に直接隣接する側壁の領域全体にわたって延在することもできる。くぼみは、互いに分離されているか、またはアンダーカットなしに側壁によって分離されている複数のアンダーカットを有することもできる。くぼみの二つの対向する側壁は、例えば、それぞれの介在する側壁が第一の表面に対して垂直に延在すると同時に、アンダーカット構成を有することができる。
【００１４】
したがって、保持構造によって達成される保持力の強度は、アンダーカット、すなわち、マークされた領域におけるアンダーカットの形状、サイズおよび数または密度によって実質的に決定される。アンダーカットの形状、サイズおよび密度、またそれに対応してくぼみの形状およびサイズ、ならびに表面小領域にわたる凹部の密度は一定であってもよいし、変化してもよい。例えば、他の負荷の小さい表面領域よりも大きな保持力を達成するために、内面の特に負荷の大きな領域、すなわち印象が歯および歯肉から除去されたときに特に大きな力が作用する表面領域に、より大きいアンダーカットまたはより高密度のアンダーカットを有する保持構造を配置することが可能である。例えば、印象トレイの挿入方向に対して垂直に延在する表面に対してなど、高い保持力が必要であり、一方、挿入方向に平行に延びる表面については、より小さい保持力で十分である。この場合の挿入方向は、印象が顎または顎領域上に置かれるかまたはそこから除去される方向である。
【００１５】
アンダーカットの形状およびサイズは、例えば、アンダーカットが第一の表面の下に延在する、第一の表面に対して特定されるべき角度によって特徴付けられる。アンダーカットはまた、それぞれ異なる凹部から生じる二つ以上のくぼみが互いに接続されるように構成することもできる。
【００１６】
凹部、その形状、特にそれらのサイズは、くぼみ、ひいてはアンダーカットへの印象化合物の浸透を確実にする。従って、凹部のサイズおよび／または形状の印象化合物の粘度への適合は有利である。０．５ｍｍ〜２ｍｍのサイズの凹部および／または０．５〜２ｍｍの深さのくぼみは、通常、印象化合物がアンダーカット内に流れることを確実にすることができる。
【００１７】
保持構造の第一の表面は、表面小領域にただ実質的に平行に延在することに留意されたい；すなわち、表面の平均的整列が、選択またはマークされた表面小領域にほぼ平行に延在するか、または前述の表面小領域と実質的に一致している。これにより、保持構造を備えた領域では、作製テンプレート、ひいては作製された印象トレイも、最初に識別された個別化された形状、すなわち元の第一の印象トレイモデルからの逸脱が最小限となることが確実となる。
【００１８】
言うまでもなく、保持構造の全てのパラメータは、手動および／または自動的に生成または構成することができる。また、保持構造または保持構造の第一の表面の高さが変化し得ることも言うまでもない。第一の表面の異なる小領域は、異なる距離の表面小領域に平行に延在することができ、そのため異なる領域の保持構造は異なる厚さで構成される。その結果、アンダーカットの領域またはサイズ、およびそれによって保持構造によって達成され得る保持力を、領域によってカスタマイズすることができる。
【００１９】
保持構造は、完成した三次元モデルとして選択、形成および／または配置することができる。これは、三次元仮想構造が生成されるか、または選択のために事前に生成され、その後、キャリアの表面小領域上に配置されるか、表面小領域の適切な凹部を介して部分的または完全にキャリア内に配置されることを意味する。この構造は、予め形成された一連の構造から選択することができ、例えば、これらのそれぞれは、所定の密度の凹部、凹部に隣接する所定の形状およびサイズのくぼみ、ならびに第一の表面にある距離で延在する下側を有する第一の表面を備える。側面または第一の表面および下側のサイズは、例えば、配置中に選択された表面小領域の形状およびサイズに自動的に適合させることができる。
【００２０】
マークされた表面部分のキャリア材料の削減または除去により、印象トレイモデル内にアンダーカットを備える凹部および隣接するくぼみを形成することによって、保持構造を代替的に作製することができる。
【００２１】
キャリアと硬化された印象化合物との間のしっかりとした接着は、保持構造のアンダーカットによって達成される。したがって、接着剤および接着剤を塗布する追加の作業ステップは不要であり、作製された印象トレイの特に簡単な使用が可能となる。さらに、貫通孔のないキャリアの内面が閉鎖されているため、印象化合物に大きな圧力をかけることができる。これにより、歯のセットおよび隣接する歯肉の特に鮮明で詳細な画像が可能になる。
【００２２】
保持構造を作製テンプレートに統合することによって、個別化された印象トレイが保持構造で直接作製される；したがって、次いで製造された個別化された印象トレイの中または上に保持構造を配置する追加の作製ステップも必要ない。印象トレイモデル上に保持構造を配置することは、演算ユニットによって手動または完全に自動的に実行することができる単純、容易かつ制御可能な作業ステップを意味し、その結果、本発明による方法を特に迅速かつ高い費用対効果で実行することができる。さらに、アンダーカットの平坦な配置のために、構造の高さは、印象トレイのキャリアとその中で硬化された印象化合物との間に必要な保持力を達成するには、小さくて十分である。
【００２３】
保持構造は、有利には、凹部の密度、形状およびサイズならびにアンダーカットの形状およびサイズを自動および／または手動的に指定することができる複数の凹部を有する。
【００２４】
保持力は、一般に、アンダーカット自体を変更することによって、およびアンダーカットの密度を変更することによって影響され得る。具体的には、アンダーカットの形状およびサイズ、および密度、すなわち表面小領域上に配置された凹部またはアンダーカットの数は、保持力を決定する。印象化合物のくぼみおよびアンダーカットへの浸透を確実にするために、凹部のサイズおよび形状は、印象化合物、特にその粘度に適合させなければならない。様々なパラメータを指定または選択することによって、ユーザは保持構造によって手で、または演算ユニットを介して自動的に達成され得る保持力を形成することができる。アンダーカットおよび凹部の異なる形状、サイズおよび密度は、ユーザによって、例えばリストから選択されることができる。保持構造のパラメータが所望の保持構造に基づいて自動的に生成される、所望の保持力の選択または仕様を提供することも可能である。パラメータの完全自動生成も同様に可能である。
【００２５】
マーキング後、少なくとも一つの表面小領域は、有利には、表面小領域に属さない内面の部分に対してキャリア内にある深さだけ凹んでおり、少なくとも一つの表面小領域上に続いて配置される保持構造は、凹部の深さに正確に対応する表面小領域に対する高さを有する。このように、アンダーカットを備えた保持構造は、保持構造の第一の表面がキャリアの残りの内面と同一平面になるように、キャリア内に凹んでいる。その結果、作製テンプレートと元の個別化印象トレイ領域との間の差異、特に内面の個別化された領域における差が最小化される。同様に、保持構造の干渉および／または品質低下の影響は、印象トレイが使用されるとき、印象トレイと歯または歯肉との間の距離の少なくとも局部的な縮小または増大によって減少する。
【００２６】
複数の表面小領域は、有利には、手動および／または自動的にマークされ、それぞれの同一および／または異なる保持構造が異なる表面小領域の上方および／または下方に配置され、異なる保持構造は、特に有利には、凹部の密度および／または凹部の形状および／または凹部のサイズおよび／またはアンダーカットの形状および／またはアンダーカットのサイズについて異なる。異なる保持構造の非連続領域または領域は、例えば、それぞれの領域に対して異なる保持力を達成するために、手動または自動で、簡単な方法で設定することができる。印象トレイが使用されているときおよび／または表面小領域の所望の保持力に基づいておよび／または印象を形成するのに使用される印象化合物の粘度に基づいて、表面小領域に作用する最大力に基づいて複数の表面小領域の少なくとも一つの保持構造を選択することが特に有利である。特に、測定される顎領域から印象化合物を備えた印象トレイを取り外すとき、印象化合物が印象トレイの内面から剥離し、顎領域の一部に粘着したままになる恐れがある。内面の異なる領域における作用する最大力は著しく異なる。同様に、印象化合物が印象トレイから剥離するのを防ぐために、印象トレイの内面の異なる領域に異なる強度の保持力が必要となる。印象化合物の粘度は、印象化合物に作用する力、または印象化合物を備えた印象トレイが顎領域から取り外されるときに必要とされる保持力にさらに影響を及ぼす。
【００２７】
保持構造は、有利には、複数の隣接して配置された保持要素からなり、保持要素の三次元形状および／または保持要素の密度は、自動および／または手動で指定される。これは、保持構造の設計のさらなる代替を表す。隣接して配置された保持要素は互いに結合して保持構造を形成し、各保持要素は要素基部、要素の上側および側壁を含み、要素はキャリア基部がキャリア構造のマークされた表面小領域上にあるかまたはキャリア内に凹んだ表面小領域に同等なものの上にある状態で配置される。保持構造の第一の表面は、したがって、保持要素の要素表面からなる。保持要素の間に形成された間隙は、第一の表面の凹部とくぼみとアンダーカットとを生成する。保持要素は、均一な間隔で、可変距離で、および／または部分的に互いに接触して配置することができる。保持力は対応して保持要素の密度に依存するため、保持力は、保持要素の密度の仕様、選択および／またはバリエーションを介して制御することができる。
【００２８】
各保持要素は、要素表面についてアンダーカット状に延在する少なくとも一つの側壁を含むことは言うまでもない。保持要素は、例えば、アンダーカット領域またはアンダーカットが各保持要素のすべての側壁およびすべてのくぼみを横切って延在するように、かつ任意選択ですべての凹部がそれに応じて互いに接続されるように、回転対称となるように設計することができる。保持要素は、例えば、互いに平行に、または要素表面に対して垂直に延在する二つの対向する側壁と、アンダーカットである二つの側壁とを備えることもできる。このような保持要素は、くぼみまたは凹部について平行チャネルが作製されるように、互いに隣接する平行または垂直に延在する側壁とともに配置されることができる。
【００２９】
印象トレイは、有利には、付加製造方法によって作製テンプレートに従って作製される。生成的製造方法（ｇｅｎｅｒａｔｉｖｅ  ｍａｎｕｆａｃｔｕｒｉｎｇ  ｍｅｔｈｏｄｓ）とも称される付加製造方法、例えば３Ｄプリンタは、統合された保持構造を備えた印象トレイを一片でおよび一方法ステップで作製する特に簡単な方法を表す。
【００３０】
言うまでもなく、減算製造方法（ｓｕｂｔｒａｃｔｉｖｅ  ｍａｎｕｆａｃｔｕｒｉｎｇ  ｍｅｔｈｏｄｓ）を使用して、印象トレイの保持構造、特にアンダーカットを作製することもできる。
【００３１】
本発明のさらなる目的は、内面を備えたキャリアを有する個別化された歯科印象トレイであって、内面は少なくとも部分的に個々の歯および隣接する歯肉のセットの一部のメス型に対応し、ならび少なくとも一つの内面の表面小領域は保持構造で覆われている。保持構造は、表面小領域に実質的に平行に、または表面小領域と実質的に並んで延在する第一の表面を有し、そこを貫通する少なくとも一つの凹部を有し、くぼみが第一の表面の各凹部に隣接し、くぼみが凹部からキャリアの方向におよび／またはキャリア中に延在し、各くぼみは少なくとも一つのアンダーカットを有する。
【００３２】
個別化された歯科印象トレイは、関連する特性を有する個別化された印象トレイに関する本発明による方法の説明の枠内で言及された全ての利点および特徴を保有する。
【００３３】
表面小領域の５０％が第一の表面によって有利に覆われ、前述の表面小領域の５０％が凹部によって覆われる。印象化合物がくぼみの中に完全に浸透するのを確実にするのに十分な凹部のサイズ、ひいてはアンダーカットの中にも浸透するサイズが達成される。
【００３４】
アンダーカットは、有利には、第一の表面の少なくとも３０％の下に延在する。アンダーカットの領域が大きいほど、またはアンダーカットのサイズが大きいほど、保持力は大きくなる。
【００３５】
保持構造は、有利には、複数の隣接して配置された保持要素からなる。全ての保持要素は、一緒に第一の表面を形成する要素表面を有し、第一の表面の凹部および隣接するくぼみは、保持要素間の距離の結果であることは言うまでもない。これは、個別または複数の保持要素が部分的に互いに隣接して配置されていることを排除するものではない。各保持要素は、要素表面についてアンダーカットである領域をそれぞれ含み、その結果、保持構造のアンダーカットが生じることは言うまでもない。
【００３６】
保持要素は、有利にはＴ字形またはＸ字形またはＶ字形に設計される。これらの形状は、少なくとも二つのアンダーカット領域またはアンダーカットを備えた保持要素のための単純な形態を表す。保持要素が回転対称であるように設計されている場合、一つのアンダーカットはそれぞれ、各保持要素の保持要素のすべての側壁を横切って延在する。
【００３７】
表面小領域は有利にはキャリアの内面の少なくとも５０％を占める。表面小領域の割合が高く、キャリアの内面の保持構造が大きくなればなるほど、印象トレイ内で硬化した印象化合物で達成される復元力も大きくなる。
【００３８】
保持構造の第一の表面とキャリアの内面の表面小領域および／または少なくとも一つのくぼみの基部との間の距離は、有利には０．１ｍｍ〜０．５ｍｍである。保持構造またはアンダーカットの平坦な配置のために、保持構造の深さは、印象トレイのキャリアとその中で硬化された印象化合物との間に必要な保持力を達成するには、顕著には１ｍｍ未満など、小さくて既に十分である。保持構造によって覆われたキャリアの内面の部分が大きく、保持構造の領域に配置された凹部またはアンダーカットが多いほど、保持構造の深さはより小さくなり得る。
【００３９】
表面小領域は、有利にはキャリアの内面のくぼみの基部として構成され、くぼみの深さは保持構造の第一の表面に垂直な保持構造の範囲に対応する。その結果、保持構造の第一の表面は、キャリアの残りの表面に連続的に融合する。
【００４０】
保持構造およびキャリアは、有利には一体物として形成される。
【００４１】
本発明の設計例が図面に示されている。それは以下のものを示している。
【図面の簡単な説明】
【００４２】
【図１】保持構造を備えた歯科印象トレイである。
【図２】保持構造の第一実施形態である。
【図３Ａ】保持構造のさらなる実施形態である。
【図３Ｂ】保持構造のさらなる実施形態である。
【図４Ａ】下顎上に配置された印象トレイの二つの実施形態である。
【図４Ｂ】下顎上に配置された印象トレイの二つの実施形態である。
【図５】方法ステップの概略図である。
【発明を実施するための形態】
【００４３】
図１は、印象化合物を収容するためのキャリア１を備えた個別化された歯科印象トレイ１０を示す。キャリアは、外面２および内面３を備え、内面３は、少なくとも部分的に、歯のセットおよび患者の隣接歯肉（図示せず）に対応する。内面３の一部は保持構造４によって覆われている。
【００４４】
図２に略図が示された保持構造４の第一実施形態である。キャリア１の内面上に配置された保持構造４は第一の表面５を備える。図示された設計例において、第一の表面５はキャリア１の内面３に実質的に平行に延在する。保持構造の第一の表面５は、それを貫通する隣接するくぼみを備えた凹部６を有する。凹部６は、矩形状で均一に配置されているため、第一の表面５は、格子状である。各くぼみは、内面３に対して斜めに延在する少なくとも一つの側面と、結果として生じるアンダーカットとを含む。
【００４５】
表面５が保持構造４の領域内のキャリアの内面３と一致する、すなわち同一であることも可能であり、くぼみはキャリア内に延在する。
【００４６】
保持構造４の三つのさらなる設計例について図３Ａに略図が示されている。三つの設計例の全てにおいて、保持構造４は、元の内面３に対して凹んでいる表面３．１上に互いに隣接して配置された複数の保持要素７から形成されている。図３Ａは、デザインバリエーションごとに三つの隣接して配置された保持要素７が輪郭で示されている。保持要素７はＶ字形、Ｘ字形およびＴ字形に設計されているため、各保持要素７は少なくとも二つのアンダーカット８を備える。言うまでもなく、保持要素はまた四つのアンダーカット、またはいたるところに延在するアンダーカットを有することでができる。
【００４７】
図３Ｂに略図が示される保持構造４の実施形態は、第一の表面５上に不規則に配置され、それぞれに少なくとも一つのアンダーカット８を有する管状の湾曲した、それぞれ異なる形状のくぼみが接続された複数の凹部６を備える。このような保持構造４は、例えば、凹部をランダムに分布させ、管状の湾曲したくぼみをキャリアにランダムに配置することによって、またはキャリア材料から管状の湾曲したくぼみをランダムに減算することによって作製することができる。
【００４８】
図４Ａは、下顎９上に配置された本発明による印象トレイ１０の断面図を示す。キャリア１の内面３上に配置されたキャリア１および保持構造４は、下顎９の小領域の拡大されたメス型を含む。図示された設計例では、保持構造４は、保持構造４の第一の表面５が保持構造４で覆われていない内面３の一部と同一面になるように、印象トレイ１０のキャリア１で凹んでいる。
【００４９】
図４Ｂはまた、下顎９に配置された本発明による印象トレイ１０の断面図を示し、印象トレイ１０は、それぞれ異なる保持構造４．１、４．２を備える二つの表面小領域を含む。第一の保持構造４．１を備える第一の表面小領域が内面３のコア領域の表面上に延在する一方、第二の表面小領域は内面３の縁領域に沿って帯状に配置される。第二の表面小領域１５内の第二の保持構造４．２は、縁領域における特に高い保持力を確実にするラップアラウンド技術を用いて構成されたオメガ形状である。
【００５０】
印象化合物１１は、保持構造４と、任意選択で保持構造４によって覆われていない内面３の一部と、印象トレイによって覆われた下顎９の部分との間に配置される。印象化合物１１は、印象トレイ１０が下顎９の上に配置されたとき、軟質および／または粘性である。軟質印象化合物１１は、下顎９の歯および隣接歯肉の形状に正確に一致し、アンダーカット８中にも流入する。印象化合物１１が硬化した後、印象化合物は、保持構造４のアンダーカット８により印象トレイ１０のキャリア１にしっかりと付着し、そのため印象トレイ１０と一緒に下顎９から完全に取り外すことができる。
【００５１】
言うまでもなく、上顎の印象は、同様の方法で作製することができ、または、二つの側に保持構造４を備えた対応する内面３を含む印象トレイを用いて、上顎および下顎の印象を同時に作製することができる。
【００５２】
図５は、本発明による方法の第一の実施形態のいくつかの方法ステップのスケッチを示す。第一の方法ステップでは、内面３を備えるキャリア１を有する印象トレイ１０のデジタル第一印象トレイモデル１３が、デジタル顎モデル１２に基づいて形成され、内面３は、少なくとも部分的に顎モデル１２のメス型に対応する。
【００５３】
第二の方法ステップでは、少なくとも一つの表面小領域１４が内面３上にマークされ、その上に保持構造４が第三の方法ステップで配置され、作製テンプレートとして格納される。
【００５４】
保持構造の配置は、例えば、表面小領域上への平坦な保持構造４のデジタル配置、表面小領域１４の凹みとその後の平坦な保持構造４の凹んだ表面上への配置、表面小領域１４にくぼみおよびアンダーカットを形成することによる保持構造４の形成、または同様の工程を含むことができる。
【００５５】
続いて、第四の方法ステップにおいて、作製テンプレートに従って印象トレイが作製される。
【符号の説明】
【００５６】
１    キャリア
２    外面
３    内面
４    保持構造
５    保持構造の第一の表面
６    凹部
７    保持要素
８    アンダーカット
９    下顎
１０  個別化された印象トレイ
１１  印象化合物
１２  顎モデルまたは顎領域モデル
１３  第一の印象トレイモデル
１４  表面小領域
【図１】
2019517302.tif 000003
【図２】
2019517302.tif 000004
【図３Ａ】
2019517302.tif 000005
【図３Ｂ】
2019517302.tif 000006
【図４Ａ】
2019517302.tif 000007
【図４Ｂ】
2019517302.tif 000008
【図５】
2019517302.tif 000009
【国際調査報告】
2019517302.tif 000010
2019517302.tif 000011
2019517302.tif 000012
2019517302.tif 000013
2019517302.tif 000014
2019517302.tif 000015